(57)【要約】【課題】  レーザースポットの合焦点検出（フォーカス引き込み）処理、あるいは層間移動（フォーカスジャンプ）処理を高いサンプリングで行い、かつ回路の面積増加、消費電力の増加を防ぐ。【解決手段】  フォーカス引き込み処理、あるいはフォーカスジャンプ処理時に、トラッキングエラー信号用のＡＤ変換器を、フォーカスエラー信号用に用いることで、ＡＤ変換器の動作速度を変えずに高いサンプリングで処理を行うことが可能となる。【選択図】図１
2007293932.tif 000002
【特許請求の範囲】
【請求項１】
フォーカスエラー信号（以下、ＦＥ信号と記す）、及びトラッキングエラー信号（以下、ＴＥ信号と記す）を用いて光ディスクに対するピックアップの制御を行なう光ディスク装置において、
前記ＦＥ信号をＡＤ変換するＦＥ信号用ＡＤ変換手段と、
前記ＦＥ信号、あるいは前記ＴＥ信号をＡＤ変換するＴＥ信号用ＡＤ変換手段と、
前記ＦＥ信号用ＡＤ変換手段により生成されたＦＥ信号を用いて、フォーカスサーボフィルタ演算を行うフォーカスサーボフィルタと、
前記ＦＥ信号用ＡＤ変換手段、あるいは前記ＴＥ信号用ＡＤ変換手段により生成されたＦＥ信号を用いて、フォーカス引き込み処理を行うフォーカス引き込み手段と、
前記ＦＥ信号用ＡＤ変換手段、あるいは前記ＴＥ信号用ＡＤ変換手段により生成されたＦＥ信号を用いて、フォーカスジャンプ処理を行うフォーカスジャンプ手段と、
前記ＴＥ信号用ＡＤ変換手段により生成されたＴＥ信号を用いて、各種トラッキング制御を行うトラッキング制御手段と、
前記光ディスク装置の状態に応じて、前記フォーカスサーボフィルタ、前記フォーカス引き込み手段、前記フォーカスジャンプ手段、及び前記トラッキング制御手段の動作の制御を行うシステムコントローラと、
前記ＴＥ信号用ＡＤ変換器の入力に、前記ＦＥ信号、あるいは前記ＴＥ信号のいずれを入力するかを選択するセレクタと、を備えた、
ことを特徴とする光ディスク装置。
【請求項２】
請求項１に記載の光ディスク装置において、
前記ＦＥ信号用ＡＤ変換手段のＡＤ変換タイミングと、前記ＴＥ信号用ＡＤ変換手段のＡＤ変換タイミングとが、１／２サンプリング程度ずれている、
ことを特徴とする光ディスク装置。
【請求項３】
フォーカスエラー信号（以下、ＦＥ信号と記す）、及びトラッキングエラー信号（以下、ＴＥ信号と記す）を用いて光ディスクに対するピックアップの制御を行なう光ディスク装置において、
メインＦＥ信号をＡＤ変換するメインＦＥ信号用ＡＤ変換手段と、
サブＦＥ信号をＡＤ変換するサブＦＥ信号用ＡＤ変換手段と、
メインＴＥ信号をＡＤ変換するメインＴＥ信号用ＡＤ変換手段と、
サブＴＥ信号、あるいはメインＦＥ信号をＡＤ変換するサブＴＥ信号用ＡＤ変換手段と、
前記メインＦＥ信号用ＡＤ変換手段、前記サブＦＥ信号用ＡＤ変換手段、及び前記サブＴＥ信号用ＡＤ変換手段の出力から、ＦＥ信号を生成するＦＥ信号生成手段と、
前記メインＴＥ信号用ＡＤ変換手段、及び前記サブＴＥ信号用ＡＤ変換手段の出力から、ＴＥ信号を生成するＴＥ信号生成手段と、
前記ＦＥ信号用生成手段により生成されたＦＥ信号を用いて、フォーカスサーボフィルタ演算を行うフォーカスサーボフィルタと、
前記ＦＥ信号用生成手段により生成されたＦＥ信号を用いて、フォーカス引き込み処理を行うフォーカス引き込み手段と、
前記ＦＥ信号用生成手段により生成されたＦＥ信号を用いて、フォーカスジャンプ処理を行うフォーカスジャンプ手段と、
前記ＴＥ信号用ＡＤ変換手段により生成されたＴＥ信号を用いて、各種トラッキング制御を行うトラッキング制御手段と、
前記光ディスク装置の状態に応じて、前記フォーカスサーボフィルタ、フォーカス引き込み手段、フォーカスジャンプ手段、及びトラッキング制御手段の動作の制御を行うシステムコントローラと、
前記サブＴＥ信号用ＡＤ変換器の入力に、メインＦＥ信号、あるいはサブＴＥ信号のいずれを入力するかを選択するセレクタと、を備えた、
ことを特徴とする光ディスク装置。
【請求項４】
請求項３に記載の光ディスク装置において、
メインＦＥ信号用ＡＤ変換手段のＡＤ変換タイミングと、サブＴＥ信号用ＡＤ変換手段のＡＤ変換タイミングとが、１／２サンプリング程度ずれている、
ことを特徴とする光ディスク装置。
【請求項５】
請求項１、または請求項２に記載の光ディスク装置の動作をコンピュータにより実施させるＤＳＰのプログラムであって、
前記フォーカスサーボフィルタ、フォーカス引き込み手段、フォーカスジャンプ手段、およびトラッキング制御手段のいずれか、あるいはその複数が、単一もしくは複数のＤＳＰにより時分割で実現されており、
前記トラッキング制御手段は、前記フォーカス引き込み手段、あるいはフォーカスジャンプ手段の動作中には、その動作を一部もしくは全て、停止する、
ことを特徴とするＤＳＰのプログラム。
【請求項６】
請求項３、または請求項４記載の光ディスク装置の動作をコンピュータにより実施させるＤＳＰのプログラムであって、
前記ＦＥ信号生成手段、および前記ＴＥ信号生成手段のいずれかが、単一もしくは複数のＤＳＰにより時分割で実現されており、
前記ＴＥ信号生成手段は、前記フォーカス引き込み手段、あるいは前記フォーカスジャンプ手段の動作中には、そのサブＴＥ信号に関する処理を一部もしくは全て、停止する、
ことを特徴とするＤＳＰのプログラム。
【発明の詳細な説明】
【技術分野】
【０００１】
本発明は、レーザースポットの合焦点検出（フォーカス引き込み）処理、あるいは層間移動（フォーカスジャンプ）処理を、高いサンプリングで行う光ディスク制御装置に関する。
【背景技術】
【０００２】
従来の光ディスク制御装置では、光ピックアップの受光素子により、光ディスクからの光ビームの反射光、あるいは透過光の検出を行い、レーザースポットのデフォーカス状態を示すフォーカスエラー（ＦＥ）信号や、レーザースポットのオフトラック状態を示すトラッキングエラー（ＴＥ）信号を生成する。
【０００３】
ＦＥ信号と、ＴＥ信号は、ＡＤ変換され、デジタル処理による各種フォーカス制御、各種トラッキング制御、に用いられる。ＦＥ信号とＴＥ信号のＡＤ変換は、常時行われる。ＦＥ信号が、メインＦＥ信号と、サブＦＥ信号戸からなり、ＴＥ信号が、メインＴＥ信号と、サブＴＥ信号とからなり、ＤＳＰによりメインＦＥ信号と、サブＦＥ信号から、ＦＥ信号を、メインＴＥ信号と、サブＴＥ信号から、ＴＥ信号を生成する場合に、サブＦＥ信号、若しくはサブＴＥ信号にかかる処理を、光ディスク装置の状態に応じて削除することで、ＤＳＰの処理能力を向上させる技術が、参考文献１に記載されている。
【０００４】
図５に、従来の光ディスク装置の構成の一例を示す。
図５において、従来の光ディスク装置５００は、ＦＥ信号用ＡＤ変換手段５０１、ＴＥ信号用ＡＤ変換手段５０２、システムコントローラ５０３と、フォーカスサーボフィルタ５０４、フォーカス引き込み手段５０５、フォーカスジャンプ手段５０６、およびトラッキング制御手段５０７からなる。
【０００５】
ＦＥ信号用ＡＤ変換手段５０１は、ＦＥ信号のＡＤ変換を行う。ＴＥ信号用ＡＤ変換手段５０２は、ＴＥ信号のＡＤ変換を行う。
【０００６】
システムコントローラ５０３は、光ディスク装置の状態に応じて、フォーカスサーボフィルタ５０４、フォーカス引き込み手段５０５、フォーカスジャンプ手段５０６、トラッキング制御手段５０７の動作の開始、停止を行う。
【０００７】
フォーカスサーボフィルタ５０４は、ＦＥ信号用ＡＤ変換手段５０１によりデジタル化されたＦＥ信号を元に、フォーカスサーボフィルタ演算を行い、光ディスク装置のフォーカス制御を行う。フォーカス引き込み手段５０５は、ＦＥ信号用ＡＤ変換手段５０１によりデジタル化されたＦＥ信号を元に、フォーカス引き込み(レーザースポットの合焦点検出)処理を行う。フォーカスジャンプ手段５０６は、ＦＥ信号用ＡＤ変換手段５０１によりデジタル化されたＦＥ信号を元に、フォーカスジャンプ(レーザースポットの層間移動)処理を行う。
【０００８】
トラッキング制御手段５０７は、ＴＥ信号用ＡＤ変換手段５０２によりデジタル化されたＴＥ信号を元に、各種トラッキング制御を行う。
【０００９】
なお、上記において、ＦＥ信号用ＡＤ変換手段５０１、ＴＥ信号用ＡＤ変換手段５０２は、時分割ＡＤ変換器におけるチャネルである場合もある。
【００１０】
また、フォーカスサーボフィルタ５０４、もしくはフォーカス引き込み手段５０５、もしくはフォーカスジャンプ手段５０６と、トラッキング制御手段５０７は、単一もしくは複数のＤＳＰによる時分割処理である場合もあり、ＤＳＰの１サンプル動作の間に、フォーカスサーボフィルタ処理、フォーカス引き込み処理、フォーカスジャンプ処理、のいずれか１つと、各種トラッキング制御処理が、１回実行される。
【特許文献１】特開２００５−２２２５７２号公報
【発明の開示】
【発明が解決しようとする課題】
【００１１】
上述した従来の光ディスク制御装置では、フォーカス引き込み処理時、あるいはフォーカスジャンプ処理時のサンプリングを向上する場合には、フォーカス引き込み手段、フォーカスジャンプ手段、ＡＤ変換手段、及びＤＳＰの動作速度を向上する必要があり、このようにすると、各手段を構成する回路規模の増大、消費電力の増大を招くこととなった。
【００１２】
本発明は、上記の課題を解決するためになされたものであり、回路規模や消費電力を増大させることなく、高精度なフォーカス引き込み処理、およびフォーカスジャンプ処理を、行うことのできる光ディスク装置を提供することを目的としている。
【課題を解決するための手段】
【００１３】
前記課題を解決するために、本発明にかかる光ディスク装置は、フォーカス引き込み処理、またはフォーカスジャンプ処理時においては、各種トラッキング制御が不要である、あるいは、各種トラッキング制御のサンプリングを低下しても、光ディスク装置の性能の劣化を招くことはないことを利用し、ＴＥ信号のＡＤ変換器、あるいは各種トラッキング制御を行うＤＳＰの処理能力を、フォーカス引き込み処理、またはフォーカスジャンプ処理に、用いるようにしたものである。
【００１４】
すなわち、本発明の請求項１にかかる光ディスク装置は、フォーカスエラー信号（以下、ＦＥ信号と記す）、及びトラッキングエラー信号（以下、ＴＥ信号と記す）を用いて光ディスクに対するピックアップの制御を行なう光ディスク装置において、前記ＦＥ信号をＡＤ変換するＦＥ信号用ＡＤ変換手段と、前記ＦＥ信号、あるいは前記ＴＥ信号をＡＤ変換するＴＥ信号用ＡＤ変換手段と、前記ＦＥ信号用ＡＤ変換手段により生成されたＦＥ信号を用いて、フォーカスサーボフィルタ演算を行うフォーカスサーボフィルタと、前記ＦＥ信号用ＡＤ変換手段、あるいは前記ＴＥ信号用ＡＤ変換手段により生成されたＦＥ信号を用いて、フォーカス引き込み処理を行うフォーカス引き込み手段と、前記ＦＥ信号用ＡＤ変換手段、あるいは前記ＴＥ信号用ＡＤ変換手段により生成されたＦＥ信号を用いて、フォーカスジャンプ処理を行うフォーカスジャンプ手段と、前記ＴＥ信号用ＡＤ変換手段により生成されたＴＥ信号を用いて、各種トラッキング制御を行うトラッキング制御手段と、前記光ディスク装置の状態に応じて、前記フォーカスサーボフィルタ、前記フォーカス引き込み手段、前記フォーカスジャンプ手段、及び前記トラッキング制御手段の動作の制御を行うシステムコントローラと、前記ＴＥ信号用ＡＤ変換器の入力に、前記ＦＥ信号、あるいは前記ＴＥ信号のいずれを入力するかを選択するセレクタと、を備えたことを特徴とする。
【００１５】
本発明の請求項２にかかる光ディスク装置は、請求項１に記載の光ディスク装置において、前記ＦＥ信号用ＡＤ変換手段のＡＤ変換タイミングと、前記ＴＥ信号用ＡＤ変換手段のＡＤ変換タイミングとが、１／２サンプリング程度ずれている、ことを特徴とする。
【００１６】
本発明の請求項３にかかる光ディスク装置は、フォーカスエラー信号（以下、ＦＥ信号と記す）、及びトラッキングエラー信号（以下、ＴＥ信号と記す）を用いて光ディスクに対するピックアップの制御を行なう光ディスク装置において、メインＦＥ信号をＡＤ変換するメインＦＥ信号用ＡＤ変換手段と、サブＦＥ信号をＡＤ変換するサブＦＥ信号用ＡＤ変換手段と、メインＴＥ信号をＡＤ変換するメインＴＥ信号用ＡＤ変換手段と、サブＴＥ信号、あるいはメインＦＥ信号をＡＤ変換するサブＴＥ信号用ＡＤ変換手段と、前記メインＦＥ信号用ＡＤ変換手段、前記サブＦＥ信号用ＡＤ変換手段、及び前記サブＴＥ信号用ＡＤ変換手段の出力から、ＦＥ信号を生成するＦＥ信号生成手段と、前記メインＴＥ信号用ＡＤ変換手段、及び前記サブＴＥ信号用ＡＤ変換手段の出力から、ＴＥ信号を生成するＴＥ信号生成手段と、前記ＦＥ信号用生成手段により生成されたＦＥ信号を用いて、フォーカスサーボフィルタ演算を行うフォーカスサーボフィルタと、前記ＦＥ信号用生成手段により生成されたＦＥ信号を用いて、フォーカス引き込み処理を行うフォーカス引き込み手段と、前記ＦＥ信号用生成手段により生成されたＦＥ信号を用いて、フォーカスジャンプ処理を行うフォーカスジャンプ手段と、前記ＴＥ信号用ＡＤ変換手段により生成されたＴＥ信号を用いて、各種トラッキング制御を行うトラッキング制御手段と、前記光ディスク装置の状態に応じて、前記フォーカスサーボフィルタ、フォーカス引き込み手段、フォーカスジャンプ手段、及びトラッキング制御手段の動作の制御を行うシステムコントローラと、前記サブＴＥ信号用ＡＤ変換器の入力に、メインＦＥ信号、あるいはサブＴＥ信号のいずれを入力するかを選択するセレクタと、を備えたことを特徴とする。
【００１７】
本発明の請求項４にかかる光ディスク装置は、請求項３に記載の光ディスク装置において、メインＦＥ信号用ＡＤ変換手段のＡＤ変換タイミングと、サブＴＥ信号用ＡＤ変換手段のＡＤ変換タイミングとが、１／２サンプリング程度ずれている、ことを特徴とする。
【００１８】
本発明の請求項５にかかる光ディスク装置は、請求項１、または請求項２に記載の光ディスク装置の動作をコンピュータにより実施させるＤＳＰのプログラムであって、前記フォーカスサーボフィルタ、フォーカス引き込み手段、フォーカスジャンプ手段、およびトラッキング制御手段のいずれか、あるいはその複数が、単一もしくは複数のＤＳＰにより時分割で実現されており、前記トラッキング制御手段は、前記フォーカス引き込み手段、あるいはフォーカスジャンプ手段の動作中には、その動作を一部もしくは全て、停止する、ことを特徴とする。
【００１９】
本発明の請求項６にかかる光ディスク装置は、請求項３、または請求項４記載の光ディスク装置の動作をコンピュータにより実施させるＤＳＰのプログラムであって、前記ＦＥ信号生成手段、および前記ＴＥ信号生成手段のいずれかが、単一もしくは複数のＤＳＰにより時分割で実現されており、前記ＴＥ信号生成手段は、前記フォーカス引き込み手段、あるいは前記フォーカスジャンプ手段の動作中には、そのサブＴＥ信号に関する処理を一部もしくは全て、停止する、ことを特徴とする。
【発明の効果】
【００２０】
本発明によれば、上記の構成とすることにより、ＡＤ変換器のサンプリング速度や、ＤＳＰの処理能力を変更することなく、フォーカス引き込み処理、またはフォーカスジャンプ処理のサンプリングを高くすることができ、これにより、回路規模や消費電力を増大させることなく、高精度なフォーカス引き込み処理、フォーカスジャンプ処理を行うことができる。
【発明を実施するための最良の形態】
【００２１】
以下、本発明の実施の形態について、図面を参照しながら説明する。
（実施の形態１）
図１は、請求項１に対応する本発明の実施の形態１による光ディスク装置１０００の機能ブロック図を示すものである。
図１において、本実施の形態１による光ディスク装置１０００は、ＦＥ信号用ＡＤ変換手段１０１と、ＴＥ信号用ＡＤ変換手段１０２と、セレクタ１０３と、システムコントローラ１０４と、フォーカスサーボフィルタ１０５と、フォーカス引き込み手段１０６と、フォーカスジャンプ手段１０７と、トラッキング制御手段１０８とを備えている。
【００２２】
上記ＦＥ信号用ＡＤ変換手段１０１は、ＦＥ信号をＡＤ変換する。上記セレクタ１０３は、システムコントローラ１０４により制御され、ＦＥ信号、もしくはＴＥ信号を選択して、ＴＥ信号用ＡＤ変換手段１０２に伝達する。上記ＴＥ信号用ＡＤ変換手段は、セレクタ１０３からの信号をＡＤ変換する。
【００２３】
上記ＦＥ信号用ＡＤ変換手段１０１、および上記ＴＥ信号用ＡＤ変換器１０２のＡＤ変換のタイミングは、ＦＥ信号用ＡＤ変換手段１０１のサンプリングの１／２程度ずれている。
【００２４】
上記システムコントローラ１０４は、光ディスク装置の状態に応じて、フォーカスサーボフィルタ１０５、フォーカス引き込み手段１０６、フォーカスジャンプ手段１０７、及びトラッキング制御手段１０８、の動作の開始、停止を行う。上記フォーカスサーボフィルタ１０５は、ＦＥ信号用ＡＤ変換手段１０１によりデジタル化されたＦＥ信号を元に、フォーカスサーボフィルタ演算を行い、光ディスク装置のフォーカス制御を行う。
【００２５】
また、上記フォーカス引き込み手段１０６は、ＦＥ信号用ＡＤ変換手段１０１と、ＴＥ信号用ＡＤ変換手段１０２により、それぞれデジタル化されたＦＥ信号を用いて、フォーカス引き込み処理を行う。上記フォーカスジャンプ手段１０７は、ＦＥ信号用ＡＤ変換手段１０１と、ＴＥ信号用ＡＤ変換手段１０２により、それぞれデジタル化されたＦＥ信号を用いて、フォーカスジャンプ処理を行う。上記トラッキング制御手段１０８は、ＴＥ信号用ＡＤ変換手段１０２によりデジタル化されたＴＥ信号を用いて、各種トラッキング制御を行う。
【００２６】
上記システムコントローラ１０４が、フォーカスサーボフィルタ１０５、トラッキング制御手段１０８を動作させる場合には、セレクタ１０３は、ＴＥ信号を選択するように制御される。
【００２７】
上記システムコントローラ１０４が、フォーカス引き込み手段１０６、もしくはフォーカスジャンプ手段１０７を動作させる場合には、セレクタ１０３は、ＦＥ信号を選択するよう制御され、フォーカス引き込み手段１０６、あるいはフォーカスジャンプ手段１０７は、ＦＥ用ＡＤ変換手段１０１の出力、およびＴＥ用ＡＤ変換手段１０２の出力を用いて、ＦＥ用ＡＤ変換手段１０１のサンプリングよりも高いサンプリングで動作し、トラッキング制御手段１０８は、動作を停止する。
【００２８】
ここで、セレクタ１０３は、ある時間間隔で、ＦＥ信号を選択するよう動作するものとしてもよい。
【００２９】
この場合には、セレクタ１０３がＦＥ信号を選択している期間は、システムコントローラ１０４は、トラッキング制御手段１０８の動作を停止させ、セレクタ１０３がＴＥ信号を選択している場合には、システムコントローラ１０４は、フォーカス引き込み手段１０６、フォーカスジャンプ手段１０７の動作を停止させる。
【００３０】
なお、システムコントローラ１０４は、上記の各場合に、フォーカス引き込み手段１０６、フォーカスジャンプ手段１０７、あるいはトラッキング制御手段の動作を停止させるのではなく、各々への入力のホールド処理を行うようにしてもよい。
【００３１】
また、本実施の形態１において、上記ＦＥ信号用ＡＤ変換手段１０１、およびＴＥ信号用ＡＤ変換手段１０２は、時分割ＡＤ変換器における各チャネルである構成としてもよい。
【００３２】
このような本実施の形態１による光ディスク装置によれば、ＦＥ信号、及びＴＥ信号を用いて光ディスクに対するピックアップの制御を行なう光ディスク装置において、前記ＦＥ信号をＡＤ変換するＦＥ信号用ＡＤ変換手段と、前記ＦＥ信号、あるいは前記ＴＥ信号をＡＤ変換するＴＥ信号用ＡＤ変換手段と、前記ＦＥ信号用ＡＤ変換手段によりデジタル化されたＦＥ信号を用いて、フォーカスサーボフィルタ演算を行うフォーカスサーボフィルタと、前記ＦＥ信号用ＡＤ変換手段、あるいは前記ＴＥ信号用ＡＤ変換手段によりデジタル化されたＦＥ信号を用いて、フォーカス引き込み処理を行うフォーカス引き込み手段と、前記ＦＥ信号用ＡＤ変換手段、あるいは前記ＴＥ信号用ＡＤ変換手段によりデジタル化されたＦＥ信号を用いて、フォーカスジャンプ処理を行うフォーカスジャンプ手段と、前記ＴＥ信号用ＡＤ変換手段によりデジタル化されたＴＥ信号を用いて、各種トラッキング制御を行うトラッキング制御手段と、前記光ディスク装置の状態に応じて、前記フォーカスサーボフィルタ、前記フォーカス引き込み手段、前記フォーカスジャンプ手段、及び前記トラッキング制御手段、の動作の開始、停止の制御を行うシステムコントローラと、前記ＴＥ信号用ＡＤ変換器の入力に、前記ＦＥ信号、もしくは前記ＴＥ信号のいずれを入力するかを選択するセレクタと、を備え、フォーカス引き込み処理もしくはフォーカスジャンプ処理時においては、各種トラッキング制御が不要である、あるいは各種トラッキング制御のサンプリングを低下しても光ディスク装置の性能劣化を招くことはないことを利用し、ＴＥ信号をＡＤ変換器するＡＤ変換器の処理能力を、該フォーカス引き込み処理、またはフォーカスジャンプ処理に用いるようにしたので、各手段を構成する回路規模の増大、消費電力の増大を招くことなく、上記フォーカス引き込み処理時、あるいはフォーカスジャンプ処理時のサンプリング速度を向上することができる。
【００３３】
（実施の形態２）
図２は、請求項２に対応する本発明の実施の形態２による光ディスク装置２０００の機能ブロック図を示すものである。
図２において、本実施の形態２による光ディスク装置２０００は、メインＦＥ信号用ＡＤ変換手段２０１と、サブＦＥ信号用ＡＤ変換手段２０２と、メインＴＥ信号用ＡＤ変換手段２０３と、サブＴＥ信号用ＡＤ変換手段２０４と、セレクタ２０５と、ＦＥ信号生成手段２０６と、ＴＥ信号生成手段２０７と、システムコントローラ２０８と、フォーカスサーボフィルタ２０９と、フォーカス引き込み手段２１０と、フォーカスジャンプ手段２１１と、トラッキング制御手段２１２とを備えている。
【００３４】
上記メインＦＥ信号用ＡＤ変換手段２０１は、メインＦＥ信号をＡＤ変換する。上記サブＦＥ信号用ＡＤ変換手段２０２は、サブＦＥ信号をＡＤ変換する。上記メインＴＥ信号用ＡＤ変換手段２０３は、メインＴＥ信号をＡＤ変換する。上記セレクタ２０５は、システムコントローラ２０８により制御され、メインＦＥ信号、もしくはサブＴＥ信号を選択して、サブＴＥ信号用ＡＤ変換手段に伝達する。上記サブＴＥ信号用ＡＤ変換手段２０４は、セレクタ２０５からの信号をＡＤ変換する。
【００３５】
上記メインＦＥ信号用ＡＤ変換手段２０１と、サブＴＥ信号用ＡＤ変換器２０４のＡＤ変換タイミングは、メインＦＥ信号用ＡＤ変換手段２０１のサンプリングの１／２程度ずれている。
【００３６】
上記ＦＥ信号生成手段２０６は、メインＦＥ信号用ＡＤ変換手段２０１と、サブＦＥ信号用ＡＤ変換手段２０２と、サブＴＥ信号用ＡＤ変換手段２０４の出力から、ＦＥ信号の生成を行う。上記ＴＥ信号生成手段２０７は、メインＴＥ信号用ＡＤ変換手段２０３と、サブＴＥ信号用ＡＤ変換手段２０４の出力から、ＴＥ信号の生成を行う。上記ＦＥ信号生成手段のサンプリングは、上記メインＦＥ信号用ＡＤ変換手段のサンプリングよりも高い。
【００３７】
上記システムコントローラ２０８は、光ディスク装置の状態に応じて、フォーカスサーボフィルタ２０９、フォーカス引き込み手段２１０、フォーカスジャンプ手段２１１、トラッキング制御手段２１１の動作の開始、停止を行う。
【００３８】
上記フォーカスサーボフィルタ２０９は、ＦＥ信号生成手段２０６からの信号を元に、フォーカスサーボフィルタ演算を行い、光ディスク装置のフォーカス制御を行う。フォーカス引き込み手段２１０は、ＦＥ信号生成手段２０６からの信号を元に、フォーカス引き込み処理を行う。フォーカスジャンプ手段２１１は、ＦＥ信号生成手段２０６からの信号を元に、フォーカスジャンプ処理を行う。
【００３９】
トラッキング制御手段２１２は、ＴＥ信号生成手段２０７からの信号を元に、各種トラッキング制御を行う。
【００４０】
上記システムコントローラ２０８が、フォーカスサーボフィルタ２０９、トラッキング制御手段２１２を動作させる場合には、セレクタ２０５は、サブＴＥ信号を選択するように制御され、ＦＥ信号生成手段２０６は、メインＦＥ信号用ＡＤ変換手段２０１の出力と、サブＦＥ信号用ＡＤ変換手段２０２の出力とのみを用いて、ＦＥ信号を生成する。この場合、ＦＥ信号生成手段２０６は、メインＦＥ信号用ＡＤ変換手段２０１と同じサンプリングで動作するものでよい。
【００４１】
上記システムコントローラ２０８が、フォーカス引き込み手段２１０、もしくはフォーカスジャンプ手段２１１を、動作させる場合には、セレクタ２０５は、メインＦＥ信号を選択するように制御され、ＦＥ信号生成手段２０６は、メインＦＥ信号用ＡＤ変換手段２０１、サブＦＥ信号用ＡＤ変換手段２０２、及びサブＴＥ信号用ＡＤ変換手段２０４からの信号を元に、メインＦＥ信号用ＡＤ変換手段２０１よりも高いサンプリングで動作し、ＴＥ信号生成手段２０７は、メインＴＥ信号のみを用いて、ＴＥ信号を生成する。
【００４２】
なおここで、セレクタ２０５は、ある時間間隔で、メインＦＥ信号を選択するよう動作するものとしてもよい。
【００４３】
この場合には、セレクタ２０５が、メインＦＥ信号を選択している期間は、ＴＥ信号生成手段２０７は、メインＴＥ信号のみを用いて、ＴＥ信号を生成し、セレクタ２０７が、サブＴＥ信号を選択している場合には、ＦＥ信号生成手段２０６は、メインＦＥ信号用ＡＤ変換手段２０１の出力と、サブＦＥ信号生成手段２０２の出力とのみを用いて、ＦＥ信号を生成する。
【００４４】
なお、本実施の形態２において、上記メインＦＥ信号用ＡＤ変換手段２０１、サブＦＥ信号用ＡＤ変換手段２０２、メインＴＥ信号用ＡＤ変換手段２０３、およびサブＴＥ信号用ＡＤ変換手段２０４は、時分割ＡＤ変換器における各チャネルである構成としてもよい。
【００４５】
このような本実施の形態２による光ディスク装置によれば、メインＦＥ信号をＡＤ変換するメインＦＥ信号用ＡＤ変換手段と、サブＦＥ信号をＡＤ変換するサブＦＥ信号用ＡＤ変換手段と、メインＴＥ信号をＡＤ変換するメインＴＥ信号用ＡＤ変換手段と、サブＴＥ信号、もしくはメインＦＥ信号をＡＤ変換するサブＴＥ信号用ＡＤ変換手段と、メインＦＥ信号用ＡＤ変換手段、サブＦＥ信号用ＡＤ変換手段、及びサブＴＥ信号用ＡＤ変換手段の出力から、ＦＥ信号を生成するＦＥ信号生成手段と、メインＴＥ信号用ＡＤ変換手段、サブＴＥ信号用ＡＤ変換手段の出力から、ＴＥ信号を生成するＴＥ信号生成手段と、ＦＥ信号用生成手段により生成されたＦＥ信号を元に、フォーカスサーボフィルタ演算を行うフォーカスサーボフィルタと、ＦＥ信号用生成手段により生成されたＦＥ信号を用いて、フォーカス引き込み処理を行うフォーカス引き込み手段と、ＦＥ信号用生成手段により生成されたＦＥ信号を用いて、フォーカスジャンプ処理を行うフォーカスジャンプ手段と、ＴＥ信号用ＡＤ変換手段によりデジタル化されたＴＥ信号を用いて、各種トラッキング制御を行うトラッキング制御手段と、光ディスク装置の状態に応じて、フォーカスサーボフィルタ、フォーカス引き込み手段、フォーカスジャンプ手段、およびトラッキング制御手段、の動作の開始、停止を行うシステムコントローラと、サブＴＥ信号用ＡＤ変換器の入力に、メインＦＥ信号、もしくはサブＴＥ信号のいずれを入力するかを選択するセレクタと、を備え、フォーカス引き込み処理もしくはフォーカスジャンプ処理時においては、各種トラッキング制御が不要である、あるいは各種トラッキング制御のサンプリングを低下しても光ディスク装置の性能劣化を招くことはないことを利用し、ＴＥ信号をＡＤ変換するＡＤ変換器の処理能力を、該フォーカス引き込み処理、またはフォーカスジャンプ処理に用いるようにしたので、各手段を構成する回路規模の増大、消費電力の増大を招くことなく、上記フォーカス引き込み処理時、あるいはフォーカスジャンプ処理時のサンプリング速度を向上することができる。
【００４６】
（実施の形態３）
図３は、請求項３に対応する本発明の実施の形態３によるＤＳＰのプログラムにより実現される光ディスク装置の動作を示す図である。
本実施の形態３によるＤＳＰのプログラムは、前記実施の形態１による光ディスク装置１０００の動作を、デジタルシグナルプロセッサ（ＤＳＰ）のプログラムにより実現するものであり、図３（ａ）は、記録／再生時のＤＳＰ処理を示し、図３（ｂ）は、フォーカス引き込み時のＤＳＰ処理を示し、図３（ｃ）は、フォーカスジャンプ時のＤＳＰ処理を示すものである。
【００４７】
図３に示されるように、ＤＳＰは、フォーカスサーボフィルタ処理３０１と、トラッキング制御処理３０２と、フォーカス引き込み処理３０３と、フォーカスジャンプ処理３０４とを行うものである。
【００４８】
すなわち、本実施の形態３においては、ＤＳＰは、図３（ａ）の光ディスクの記録もしくは再生時に、フォーカスサーボフィルタ処理３０１と、トラッキング制御処理３０２とを時分割で行い、図３（ｂ）のフォーカス引き込み時には、フォーカス引き込み処理３０３のみを行い、図３（ｃ）のフォーカスジャンプ時には、フォーカスジャンプ処理のみを行うものであり、これにより、フォーカス引き込み処理、もしくはフォーカスジャンプ処理を、フォーカスサーボフィルタのサンプリングよりも高いサンプリングで、行うことができるものとなっている。
【００４９】
また、フォーカス引き込み時、もしくはフォーカスジャンプ時に、各種トラッキング制御が必要な場合には、数サンプリングに１回、フォーカス引き込み処理、もしくはフォーカスジャンプ処理の代わりに、トラッキング制御処理を行うようにしてもよい。この数サンプリングに１回のトラッキング制御処理を行う場合には、図１に示される光ディスク装置１０００におけるセレクタ１０３は、ＴＥ信号を選択するものとする。
【００５０】
このような本実施の形態３のＤＳＰのプログラムによれば、実施の形態１の光ディスク装置をＤＳＰで実現する際において、フォーカスサーボフィルタ、フォーカス引き込み手段、フォーカスジャンプ手段、トラッキング制御手段のうちのいずれか、あるいはその複数を、単一もしくは複数のＤＳＰにより時分割で実現し、トラッキング制御手段は、フォーカス引き込みあるいはフォーカスジャンプの動作中には、その動作を一部若しくは全て停止するものとしたので、フォーカス引き込みあるいはフォーカスジャンプ時の早いサンプリングを実現できる光ディスク装置を、簡易に構成できる。
【００５１】
（実施の形態４）
図４は、請求項４に対応する本実施の形態４によるＤＳＰのプログラムにより実現される光ディスク装置の動作を示す図である。
【００５２】
本実施の形態４によるＤＳＰのプログラムは、前記実施の形態２による光ディスク装置２０００の動作を、デジタルシグナルプロセッサ（ＤＳＰ）のプログラムにより実現するものであり、図４（ａ）は、記録／再生時のＤＳＰ処理を示し、図４（ｂ）は、フォーカス引き込み時、およびフォーカスジャンプ時のＤＳＰ処理を示すものである。
【００５３】
図４に示されるように、ＤＳＰは、ＦＥ信号生成処理（メイン、サブ)４０１と、ＴＥ信号生成処理（メイン、サブ）４０２と、ＴＥ生成処理（メイン）４０３と、ＦＥ生成処理（メイン)４０４を行うものである。
【００５４】
すなわち、本実施の形態４においては、ＤＳＰは、図４（ａ）に示すディスクの記録もしくは再生時に、ＦＥ信号生成処理（メイン、サブ)４０１と、ＴＥ信号生成処理（メイン、サブ）４０２を、時分割で行い、フォーカス引き込み時、もしくはフォーカスジャンプ時には、ＦＥ信号生成処理（メイン、サブ)４０１と、ＴＥ信号生成処理（メイン）４０３およびＦＥ信号生成処理（メイン)４０４とを行うものであり、これにより、フォーカス引き込み時、もしくはフォーカスジャンプ時においては、ＦＥ信号生成を、高いサンプリングで、行うことができるものとなっている。
【００５５】
なお、図４（ｂ）に示されるＦＥ信号生成処理（メイン)４０４では、メインＦＥ信号に関わる演算に加えて、図４（ａ）に示される記録／再生時のＤＳＰ処理におけるＦＥ生成信号処理（メイン、サブ)４０１で生成したサブＦＥ信号を、使用するようにしてもよい。
【００５６】
また、上記フォーカス引き込み時もしくはフォーカスジャンプ時におけるＴＥ生成処理（メイン）４０３では、メインＴＥ信号に関わる演算に加えて、図４（ａ）に示される記録／再生時のＤＳＰ処理におけるＴＥ生成処理（メイン、サブ）４０２で生成したサブＴＥ信号を、使用するようにしてもよい。
【００５７】
また、このＴＥ生成処理（メイン）４０３と、ＦＥ生成処理（メイン)４０４とは、数サンプリングに１回、これを、実行するようにしてもよい。この数サンプリングに１回の、ＴＥ生成処理（メイン）４０３、ＦＥ生成処理（メイン)４０４を実行する場合には、図２に示される光ディスク装置２０００におけるセレクタ２０５は、サブＴＥ信号を選択するものとする。
【００５８】
このような本実施の形態４のＤＳＰのプログラムによれば、実施の形態２の光ディスク装置をＤＳＰで実現する際において、フォーカスサーボフィルタ、フォーカス引き込み手段、フォーカスジャンプ手段、およびトラッキング制御手段のいずれか、あるいはその複数を、単一もしくは複数のＤＳＰにより時分割で実現し、トラッキング制御手段は、フォーカス引き込み手段、あるいはフォーカスジャンプ手段の動作中には、その動作を一部若しくは全て停止するものとしたので、フォーカス引き込みあるいはフォーカスジャンプ時の早いサンプリングを実現できる光ディスク装置を、簡易に構成できる。
【産業上の利用可能性】
【００５９】
本発明にかかる光ディスク装置には、従来同等のＡＤ変換器のサンプリングで、あるいは、従来同等のＤＳＰのサンプリングを用いて、フォーカス引き込み処理、及びフォーカスジャンプ処理を、高いサンプリングで実現できる光ディスク装置が得られ、光ディスク装置において有用である。
【図面の簡単な説明】
【００６０】
【図１】請求項１に対応する本発明の実施の形態１による光ディスク装置のブロック図である。
【図２】請求項２に対応する本発明の実施の形態２による光ディスク装置のブロック図である。
【図３】請求項３に対応する本発明の実施の形態３による光ディスク装置を構成するＤＳＰプログラムを示す図である。
【図４】請求項４に対応する本発明の実施の形態４による光ディスク装置を構成するＤＳＰプログラムを示す図である。
【図５】従来の光ディスク再生装置を示すブロック図である。
【符号の説明】
【００６１】
５００    光ディスク装置
５０１    ＦＥ信号用ＡＤ変換手段
５０２    ＴＥ信号用ＡＤ変換手段
５０３    システムコントローラ
５０４    フォーカスサーボフィルタ
５０５    フォーカス引き込み手段
５０６    フォーカスジャンプ手段
５０７    トラッキング制御手段５０７
１０００  光ディスク装置
１０１    ＦＥ信号用ＡＤ変換手段
１０２    ＴＥ信号用ＡＤ変換手段
１０３    セレクタ
１０４    システムコントローラ
１０５    フォーカスサーボフィルタ
１０６    フォーカス引き込み手段
１０７    フォーカスジャンプ手段
１０８    トラッキング制御手段
２０００  光ディスク装置
２０１    メインＦＥ信号用ＡＤ変換手段
２０２    サブＦＥ信号用ＡＤ変換手段
２０３    メインＴＥ信号用ＡＤ変換手段
２０４    サブＴＥ信号用ＡＤ変換手段
２０５    セレクタ
２０６    ＦＥ信号生成手段
２０７    ＴＥ信号生成手段
２０８    システムコントローラ
２０９    フォーカスサーボフィルタ
２１０    フォーカス引き込み手段
２１１    フォーカスジャンプ手段
２１２    トラッキング制御手段２１２
３０１    フォーカスサーボフィルタ処理
３０２    トラッキング制御処理
３０３    フォーカス引き込み処理
３０４    フォーカスジャンプ処理
４０１    ＦＥ信号生成処理（メイン、サブ)
４０２    ＴＥ信号生成処理（メイン、サブ）
４０３    ＴＥ生成処理（メイン）
４０４    ＦＥ生成処理（メイン)
【図１】
2007293932.tif 000003
【図２】
2007293932.tif 000004
【図３】
2007293932.tif 000005
【図４】
2007293932.tif 000006
【図５】
2007293932.tif 000007